(57)【要約】取り外し可能な側板を有する筐体と、筐体内を複数の領域に区分する仕切り部材と、筐体内に収容される冷却ファンユニットと、筐体内に収容され、冷却ファンユニットに隣接する放熱ユニットを有する溶接装置である。放熱ユニットは、冷却ファンの送風方向に開口したトンネル形状である。放熱ユニットは、側面に設けられる締結部で、締結部材により仕切り板に取り付けられている。側板を外し、更に締結部材を外すことにより、放熱ユニットを溶接機から取り外すことができる。
2007043195.tif 000002
【特許請求の範囲】
【請求項１】
取り外し可能な側板を有する筐体と、
前記筐体内を複数の領域に区分する１以上の仕切り部材と、
前記筐体内に収容される冷却ファンユニットと、
前記筐体内に収容され、前記冷却ファンユニットに隣接するトンネル形状の放熱ユニットと、
前記放熱ユニットは、前記冷却ファンの送風方向と対面する第一の側面に第一の開口部を有し、かつ前記第一の側面と対向する第二の側面に第二の開口部を有する、
前記第二の側面は、前記第二の開口部の周囲に第一の締結部を有し、
前記仕切り部材の内で、前記第二の側面と対向する仕切り板は、前記第一の締結部に対応する位置に第二の締結部を有し、
さらに前記第一の締結部と前記第二の締結部を締結する締結部材を有し、
前記締結部材が、前記側板と対向する面に設けられ、取り外し可能である、
溶接装置。
【請求項２】
前記第二の側面と対向する前記仕切り板は、前記第二の開口部に該当する位置に貫通孔を有し、前記第二の締結部は、前記貫通孔の周囲の少なくとも一部に設けられ、かつ前記仕切り板の一部を鉛直方向に折り曲げることにより形成される、請求項１記載の溶接装置。
【請求項３】
前記放熱ユニットは、前記第一の側面に第三の締結部を有し、
前記冷却ファンユニットは、前記第三の締結部に対応する位置に第四の締結部を有し、
さらに前記第三の締結部と前記第四の締結部を締結する前記締結部材を有し、
前記締結部材が、前記側板と対向する面に設けられ、取り外し可能である、
請求項１に記載の溶接装置。
【請求項４】
前記締結部材がビスである、請求項１記載の溶接装置。
【請求項５】
さらに、前記放熱ユニットの外周部に配置された、溶接出力の制御を行う半導体素子と、
前記第二の開口部からの風の吹き出し方向に配置された電気部品を有する、
請求項１記載の溶接装置。
【請求項６】
前記冷却ファンユニットから吹出される風の送風路を有し、
前記送風路が、
前記トンネル形状の前記放熱ユニットと、
前記第二の側面と対向する前記仕切り板に設けられた貫通孔と、
によって構成される、請求項１記載の溶接装置。
【請求項７】
前記第一の締結部、前記第二の締結部、前記第三の締結部及び前記第四の締結部が、前記側板に対して平行方向に形成される、請求項３記載の溶接装置。
【請求項８】
前記第一の締結部と前記第二の締結部の締結部材を取り外すことにより、前記放熱ユニットを前記第二の側面と対向する前記仕切り部材から取り外し可能にした、請求項１記載の溶接装置。
【請求項９】
前記第三の締結部と前記第四の締結部の締結部材を取り外すことにより、前記冷却ファンユニットを前記放熱ユニットから取り外し可能にした、請求項３記載の溶接装置。
【発明の詳細な説明】
【技術分野】
【０００１】  本発明は、溶接を行うための溶接装置に関するものである。
【背景技術】
【０００２】  従来の溶接装置について例を挙げて説明する。日本特許公開公報平８−２１４５４９号は、装置内の半導体素子等を含む主回路等を冷却するための冷却ファンを、筐体を構成する側板に取り付けた溶接装置を開示する。また、日本実用新案公開公報昭６１−５３０７４号は、冷却ファンを、筐体内に設けられた筐体内を複数の領域に分離する仕切り板に取り付けた溶接装置を開示する。【０００３】  筐体を構成する側板に冷却ファンを取り付けた例を図５に示し、筐体内に設けられた仕切り板に、冷却ファンを取り付けた例を図６に示す。【０００４】  図５に示す溶接装置は、整流回路１、インバータ回路２、トランス３、冷却ファン５、プリント基板６、および第一の仕切り板７を有する。【０００５】  一方、図６に示す溶接装置は、トランス３、リアクタ４、冷却ファン５、プリント基板６、第一の仕切り板１７、および第二の仕切り板１８を有する。【０００６】  図５に示す従来の溶接装置のように、冷却ファン５が筐体を構成する側板に取り付けられている場合には、冷却構造の性質上、冷却ファン５は冷却フィンと一体になっている。従って、冷却ファン５を取り外すには、冷却ファン５が取り付けられている側板に直交する位置の側板だけでなく、冷却フィンを外すか、冷却ファン５の取り付けてある側板をも外さなければならない。従って、故障等に伴う冷却ファン５等の交換を行い難いという課題を有していた。【０００７】  また、図６に示す従来の溶接装置は、冷却ファン５が筐体内に設けられた仕切り板１８に取り付けられている。この場合には、冷却ファン５を取り外すには、側板だけでなく、少なくとも仕切り板１８も外さなければならない。この場合にも、故障等に伴う冷却ファン５等の交換を行い難いという課題を有していた。
【発明の開示】
【０００８】  本発明の溶接装置は、取り外し可能な側板を有する筐体と、筐体内を複数の領域に区分する仕切り部材と、筐体内に収容される冷却ファンユニットと、筐体内に収容され、冷却ファンユニットに隣接する放熱ユニットを有する。放熱ユニットは、冷却ファンの送風方向に開口したトンネル形状である。放熱ユニットは、側面に設けられる締結部で、締結部材により仕切り板に取り付けられている。側板を外し、更に締結部材を外すことにより、放熱ユニットを溶接機から取り外しできる構成の溶接装置である。
【０００９】  以上のように、本発明によれば、冷却ファン等の取り外しを容易に行うことができ、補修やメンテナンス性を向上させることができる。
【図面の簡単な説明】
【００１０】
【図１】図１は本発明の一実施形態に係る溶接装置の概要構成を示す図である。
【図２】図２は本発明の一実施形態に係る溶接装置の一部の概要構成を示す図である。
【図３】図３は本発明の一実施形態に係る溶接装置の一部の概要構成を示す図である。
【図４Ａ】図４Ａは本発明の一実施形態に係る放熱ユニットの外観の斜視図である。
【図４Ｂ】図４Ｂは本発明の一実施形態に係る仕切り板の外観の斜視図である。
【図５】図５は従来の溶接装置の概略構成を示す図である。
【図６】図６は従来の溶接装置の概略構成を示す図である。
【符号の説明】
【００１１】１  整流回路
２  インバータ回路
３  トランス
４  リアクタ
５  冷却ファン
６  プリント基板
７  第一の仕切り板
８  第二の仕切り板
９  冷却ファンユニット
１０  放熱ユニット
１２  放熱フィン
１３  空間
１７  第一の仕切り板
１８  第二の仕切り板
２１  第三の締結部
２２  第一の締結部
２３  第四の締結部
２４  第二の締結部
３０  筐体
３１  側板
３２  第一の開口部
３３  第二の開口部
３４  貫通孔
１００  溶接装置
【発明を実施するための最良の形態】
【００１２】  （実施の形態）
以下、本発明の実施の形態について、図１から図３を用いて説明する。図１は本実施の形態の溶接装置の概略構成図である。図２は本実施の形態の溶接装置の一部を示す概略構成図である。図３は本実施の形態の溶接装置の一部を示す概略斜視図である。【００１３】  溶接装置１００は、筐体３０を有し、筐体３０は、周囲に４枚の取り外すことが出来る側板３１を有する。なお、図１では、４枚の側板３１の内、紙面の手前側の側板３１が取り外された状態を示している。筐体３０の内部は、第一の仕切り板７と第二の仕切り板８により３つの領域に分けられている。そして、第一の仕切り板７の上方の領域にプリント基板６が配置されている。第二の仕切り板８の下方の領域にはトランス３とリアクタ４などの電気部品が配置されている。また、第一の仕切り板７の下方であり第二の仕切り板８の上方の領域に放熱ユニット１０が配置されている。【００１４】  図４Ａに示すように、この放熱ユニット１０は放熱フィン１２等から構成され、トンネル形状をしている。ここで、トンネル形状とは、放熱ユニット１０が、第一の仕切り板７側（第一の側面）に第一の開口部３２を有し、第二の仕切り板８側（第二の側面）に第二の開口部３３を有する形状である。つまり、例えば上下方向に、冷却ファンユニット９からの風が通過できる送風路が形成された形状のことをいう。また、放熱ユニット１０には、溶接出力を制御するための整流回路１やインバータ回路２などの半導体素子が取り付けられている。さらに、放熱ユニット１０の第一の開口部３２には冷却ファンユニット９が取り付けられている。ここでは、第一の仕切り板７および第二の仕切り板８を、仕切り部材の一例として説明する。【００１５】  冷却ファンユニット９は、２つの冷却ファン５とこれら冷却ファン５を固定するための箱型の部品等から構成される。この冷却ファンユニット９は、上下の開口部３２、３３を通じて、放熱ユニット１０内に風を流通させることにより整流回路１やインバータ回路２の放熱を行うとともに、トランス３やリアクタ４にも風を吹き付けてこれらを冷却するものである。また、冷却ファンユニット９と第一の仕切り板７との間には、冷却ファン５が空気を取り入れるための所定の空間１３が設けられている。この空間１３は図１の実線で囲んだ領域のことである。【００１６】  なお、図２に示すように、放熱ユニット１０は、図２の上側の第一の側面に、放熱ユニット１０を冷却ファンユニット９と締結するための第三の締結部２１有している。放熱ユニット１０は、さらに、図２の下側の第二の側面に、放熱ユニット１０を第二の仕切り板８と締結するための第一の締結部２２を備えている。また、冷却ファンユニット９は、冷却ファンユニット９を放熱ユニット１０と締結するための第四の締結部２３を備えている。また、第二の仕切り板８は放熱ユニット１０と締結するための第二の締結部２４を備えている。【００１７】  図４Ｂに示すように、第二の仕切り板８には、冷却ファンユニット９による風をトランス３等に当てるために貫通孔３４が設けられている。この貫通孔３４を形成するために、第二の仕切り板８の貫通孔３４に相当する部分を切り落とすことになる。その際、貫通孔３４に相当する部分の��部を残し、この残した部分を第二の仕切り板８に対して鉛直方向に折り曲げることで第二の締結部２４を形成してもよい。【００１８】  次に、各締結部の具体例を示す。【００１９】  放熱ユニット１０の第三の締結部２１と第一の締結部２２には、複数のねじ穴が設けられている。また、冷却ファンユニット９の第四の締結部２３には、放熱ユニット１０の第三の締結部２１に設けられている複数のねじ穴と対応する位置に丸穴が設けられている。また、第二の仕切り板８の第二の締結部２４には、放熱ユニット１０の第一の締結部２２に設けられている複数のねじ穴と対応する位置に丸穴が設けられている。【００２０】  そして、第二の締結部２４に設けられた丸穴と、第一の締結部２２に設けられたねじ穴とを、図示しないビスを用いて固定することにより、放熱ユニット１０が第二の仕切り板８に締結される。さらに、第四の締結部２３に設けられた丸穴と、第三の締結部２１に設けられたねじ穴とを、図示しないビスを用いて固定することにより、冷却ファンユニット９が放熱ユニット１０に締結される。本実施の形態では、締結部材の一例としてビス（ねじくぎ）を用いているが、他にも、ボルトとナットなどの取り外し容易な部材を締結部材として用いることが出来る。【００２１】  なお、上記したビスは、丸穴を有する第二の締結部２４に対して鉛直方向から締め付ける。従って、図１においては、紙面の手前側から奥側に向かって締め付けることで締結するものである。【００２２】  上記のように構成された溶接装置において、冷却ファンユニット９や放熱ユニット１０の取り外し方について説明する。【００２３】  例えば、冷却ファン５の故障等により冷却ファンユニット９を溶接装置内から取り外す必要が生じた場合、まず、ビスの略直交方向（図１では、紙面の手前側）に位置する側板３１を取り外す。次に、冷却ファンユニット９と放熱ユニット１０を締結している全てのビスを取り外す。そして、空間１３を利用して、冷却ファンユニット９を上部にスライドさせることにより冷却ファンユニット９を取り外すことができる。【００２４】  以上のように、本実施の形態によれば、筐体を構成する１つの側板３１を取り外し、冷却ファンユニット９と放熱ユニット１０を締結しているビスを外すだけで、容易に冷却ファンユニット９を溶接装置外へ取り外すことが可能となる。通常、一側面で締結することで冷却ファンユニット９と放熱ユニット１０を固定することができるが、もし、手前の側板に面する箇所以外でもビスで締結されている場合には、さらに該当する側板を取り外して、その箇所のビスを取り外せばよい。【００２５】  なお、冷却ファンユニット９を取り外した後、さらに放熱ユニット１０を取り外す場合には、放熱ユニット１０と第二の仕切り板８とを締結しているビスを外すだけで、容易に放熱ユニット１０を溶接装置外へ取り外すことが可能となる。【００２６】  また、冷却ファンユニット９と放熱ユニット１０とが締結された状態で、放熱ユニット１０と第二の仕切り板８とを締結しているビスを外すだけで、容易に冷却ファンユニット９および放熱ユニット１０を溶接装置外へ取り外すことが可能となる。【００２７】  次に、放熱ユニット１０や冷却ファンユニット９を溶接装置内に取り付ける場合について説明する。【００２８】  まず、ビスの締め付け方向に対して略直交方向（図１では、紙面の手前側）に位置する側板３１を取り外す。次に、第二の締結部２４に設けられた丸穴と、第一の締結部２２に設けられたねじ穴とを、図示しないビスを用いて固定することにより、放熱ユニット１０を第二の仕切り板８に締結する。その後、第四の締結部２３に設けられた丸穴と、第三の締結部２１に設けられたねじ穴とを、図示しないビスを用いて固定することにより、冷却ファンユニット９を放熱ユニット１０に締結する。【００２９】  なお、図３に、放熱ユニット１０や冷却ファンユニット９を締結する際のビスの締め付け方向を矢印で示している。【００３０】  以上のように、本実施の形態によれば、筐体を構成する１つの側板３１を取り外し、放熱ユニット１０や冷却ファンユニット９をビスにより締結するだけで、容易に放熱ユニット１０や冷却ファンユニット９を溶接装置へ取り付けることが可能となる。通常、一側面で締結することで冷却ファンユニット９と放熱ユニット１０を固定できるが、もし、手前の側板に面する箇所以外でもビスで締結する場合には、さらに該当する側板を取り外して、ビスで締結すればよい。【００３１】  また、本実施の形態の溶接装置１００において、冷却ファンユニット９が、放熱ユニット１０上方に設けられた第一の開口部３２を通じて、放熱ユニット１０内に風を送風することで放熱ユニット１０に取り付けた整流回路１やインバータ回路２の放熱を行う。それと同時に、放熱ユニット１０の下部に設けられた開口部３３から吹き出した風は、第二の仕切り板８に設けられた貫通孔３４を経由して、直接、トランス３やリアクタ４に当たる。それにより、溶接装置内の部材の冷却を効率的に行うことができる。【００３２】  すなわち、放熱ユニット１０をトンネル形状とし、第二の仕切り板８に貫通孔３４を設けることにより、冷却ファンユニット９からの送風路が形成され、トランス３やリアクタ４を冷却することが出来る。この送風路は、両端に開口部３２、３３が設けられたトンネル形状の放熱ユニット１０と第二の仕切り板８に設けられた貫通孔３４とを含んで構成される。【００３３】  なお、第二の仕切り板８と冷却ファンユニット９と放熱ユニット１０に設けられている各締結部が、互いに対向する筐体の２つの側板３１に対向して設けられている場合、各々の側板３１を取り外し、各々側板３１を外した面に対して鉛直方向にビスで締め付けることで各ユニットを溶接装置に取り付け、また、各々側板３１を外した面に対して鉛直方向にビスを緩めて外すことで各ユニットを溶接装置から取り外すようにすればよい。
【産業上の利用可能性】
【００３４】  本発明によれば、冷却ファン等の取り外しが容易に行うことができ、補修やメンテナンス性が向上するので、機器内の部材を冷却する冷却ファンを有する電気機器の分野等において産業上有用である。
【図１】
2007043195.tif 000003
【図２】
2007043195.tif 000004
【図３】
2007043195.tif 000005
【図４Ａ】
2007043195.tif 000006
【図４Ｂ】
2007043195.tif 000007
【図５】
2007043195.tif 000008
【図６】
2007043195.tif 000009
【手続補正書】
【提出日】平成18年5月24日(2006.5.24)
【手続補正１】
【補正対象書類名】特許請求の範囲
【補正対象項目名】全文
【補正方法】変更
【補正の内容】
【特許請求の範囲】
【請求項１】
取り外し可能な側板を有する筐体と、
前記筐体内を複数の領域に区分する１以上の仕切り部材と、
前記筐体内に収容される冷却ファンユニットと、
前記筐体内に収容され、前記冷却ファンユニットに隣接するトンネル形状の放熱ユニットと、
前記放熱ユニットは、前記冷却ファンの送風方向と対面する第一の側面に第一の開口部を有し、かつ前記第一の側面と対向する第二の側面に第二の開口部を有する、
前記第二の側面は、前記第二の開口部の周囲に第一の締結部を有し、
前記仕切り部材の内で、前記第二の側面と対向する仕切り板は、前記第一の締結部に対応する位置に第二の締結部を有し、
さらに前記第一の締結部と前記第二の締結部を締結する締結部材を有し、
前記締結部材が、前記側板と対向する面に設けられ、取り外し可能である、
溶接装置。
【請求項２】
前記第二の側面と対向する前記仕切り板は、前記第二の開口部に該当する位置に貫通孔を有し、前記第二の締結部は、前記貫通孔の周囲の少なくとも一部に設けられ、かつ前記仕切り板の一部を鉛直方向に折り曲げることにより形成される、請求項１記載の溶接装置。
【請求項３】
前記放熱ユニットは、前記第一の側面に第三の締結部を有し、
前記冷却ファンユニットは、前記第三の締結部に対応する位置に第四の締結部を有し、
さらに前記第三の締結部と前記第四の締結部を締結する前記締結部材を有し、
前記締結部材が、前記側板と対向する面に設けられ、取り外し可能である、
請求項１に記載の溶接装置。
【請求項４】
前記締結部材がビスである、請求項１記載の溶接装置。
【請求項５】
さらに、前記放熱ユニットの外周部に配置された、溶接出力の制御を行う半導体素子と、
前記第二の開口部からの風の吹き出し方向に配置された電気部品を有する、
請求項１記載の溶接装置。
【請求項６】
前記冷却ファンユニットから吹出される風の送風路を有し、
前記送風路が、
前記トンネル形状の前記放熱ユニットと、
前記第二の側面と対向する前記仕切り板に設けられた貫通孔と、
によって構成される、請求項１記載の溶接装置。
【請求項７】
前記第一の締結部、前記第二の締結部、前記第三の締結部及び前記第四の締結部が、前記側板に対して平行方向に形成される、請求項３記載の溶接装置。
【請求項８】
前記第一の締結部と前記第二の締結部の締結部材を取り外すことにより、前記放熱ユニットを前記第二の側面と対向する前記仕切り部材から取り外し可能にした、請求項１記載の溶接装置。
【請求項９】
前記第三の締結部と前記第四の締結部の締結部材を取り外すことにより、前記冷却ファンユニットを前記放熱ユニットから取り外し可能にした、請求項３記載の溶接装置。
【手続補正２】
【補正対象書類名】明細書
【補正対象項目名】全文
【補正方法】変更
【補正の内容】
【書類名】明細書
【発明の名称】溶接装置
【技術分野】
【０００１】
本発明は、溶接を行うための溶接装置に関するものである。
【背景技術】
【０００２】
従来の溶接装置について例を挙げて説明する。日本特許公開公報平８−２１４５４９号は、装置内の半導体素子等を含む主回路等を冷却するための冷却ファンを、筐体を構成する側板に取り付けた溶接装置を開示する。また、日本実用新案公開公報昭６１−５３０７４号は、冷却ファンを、筐体内に設けられた筐体内を複数の領域に分離する仕切り板に取り付けた溶接装置を開示する。
【０００３】
筐体を構成する側板に冷却ファンを取り付けた例を図５に示し、筐体内に設けられた仕切り板に、冷却ファンを取り付けた例を図６に示す。
【０００４】
図５に示す溶接装置は、整流回路１、インバータ回路２、トランス３、冷却ファン５、プリント基板６、および第一の仕切り板７を有する。
【０００５】
一方、図６に示す溶接装置は、トランス３、リアクタ４、冷却ファン５、プリント基板６、第一の仕切り板１７、および第二の仕切り板１８を有する。
【０００６】
図５に示す従来の溶接装置のように、冷却ファン５が筐体を構成する側板に取り付けられている場合には、冷却構造の性質上、冷却ファン５は冷却フィンと一体になっている。従って、冷却ファン５を取り外すには、冷却ファン５が取り付けられている側板に直交する位置の側板だけでなく、冷却フィンを外すか、冷却ファン５の取り付けてある側板をも外さなければならない。従って、故障等に伴う冷却ファン５等の交換を行い難いという課題を有していた。
【０００７】
また、図６に示す従来の溶接装置は、冷却ファン５が筐体内に設けられた仕切り板１８に取り付けられている。この場合には、冷却ファン５を取り外すには、側板だけでなく、少なくとも仕切り板１８も外さなければならない。この場合にも、故障等に伴う冷却ファン５等の交換を行い難いという課題を有していた。
【発明の開示】
【０００８】
本発明の溶接装置は、取り外し可能な側板を有する筐体と、筐体内を複数の領域に区分する仕切り部材と、筐体内に収容される冷却ファンユニットと、筐体内に収容され、冷却ファンユニットに隣接する放熱ユニットを有する。放熱ユニットは、冷却ファンの送風方向に開口したトンネル形状である。放熱ユニットは、側面に設けられる締結部で、締結部材により仕切り板に取り付けられている。側板を外し、更に締結部材を外すことにより、放熱ユニットを溶接機から取り外しできる構成の溶接装置である。
【０００９】
以上のように、本発明によれば、冷却ファン等の取り外しを容易に行うことができ、補修やメンテナンス性を向上させることができる。
【発明の効果】
【００１０】
本発明によれば、冷却ファン等の取り外しが容易に行うことができ、補修やメンテナンス性が向上するので、機器内の部材を冷却する冷却ファンを有する電気機器の分野等において産業上有用である。
【発明を実施するための最良の形態】
【００１１】
（実施の形態）
以下、本発明の実施の形態について、図１から図３を用いて説明する。図１は本実施の形態の溶接装置の概略構成図である。図２は本実施の形態の溶接装置の一部を示す概略構成図である。図３は本実施の形態の溶接装置の一部を示す概略斜視図である。
【００１２】
溶接装置１００は、筐体３０を有し、筐体３０は、周囲に４枚の取り外すことが出来る側板３１を有する。なお、図１では、４枚の側板３１の内、紙面の手前側の側板３１が取り外された状態を示している。筐体３０の内部は、第一の仕切り板７と第二の仕切り板８により３つの領域に分けられている。そして、第一の仕切り板７の上方の領域にプリント基板６が配置されている。第二の仕切り板８の下方の領域にはトランス３とリアクタ４などの電気部品が配置されている。また、第一の仕切り板７の下方であり第二の仕切り板８の上方の領域に放熱ユニット１０が配置されている。
【００１３】
図４Ａに示すように、この放熱ユニット１０は放熱フィン１２等から構成され、トンネル形状をしている。ここで、トンネル形状とは、放熱ユニット１０が、第一の仕切り板７側（第一の側面）に第一の開口部３２を有し、第二の仕切り板８側（第二の側面）に第二の開口部３３を有する形状である。つまり、例えば上下方向に、冷却ファンユニット９からの風が通過できる送風路が形成された形状のことをいう。また、放熱ユニット１０には、溶接出力を制御するための整流回路１やインバータ回路２などの半導体素子が取り付けられている。さらに、放熱ユニット１０の第一の開口部３２には冷却ファンユニット９が取り付けられている。ここでは、第一の仕切り板７および第二の仕切り板８を、仕切り部材の一例として説明する。
【００１４】
冷却ファンユニット９は、２つの冷却ファン５とこれら冷却ファン５を固定するための箱型の部品等から構成される。この冷却ファンユニット９は、上下の開口部３２、３３を通じて、放熱ユニット１０内に風を流通させることにより整流回路１やインバータ回路２の放熱を行うとともに、トランス３やリアクタ４にも風を吹き付けてこれらを冷却するものである。また、冷却ファンユニット９と第一の仕切り板７との間には、冷却ファン５が空気を取り入れるための所定の空間１３が設けられている。この空間１３は図１の実線で囲んだ領域のことである。
【００１５】
なお、図２に示すように、放熱ユニット１０は、図２の上側の第一の側面に、放熱ユニット１０を冷却ファンユニット９と締結するための第三の締結部２１有している。放熱ユニット１０は、さらに、図２の下側の第二の側面に、放熱ユニット１０を第二の仕切り板８と締結するための第一の締結部２２を備えている。また、冷却ファンユニット９は、冷却ファンユニット９を放熱ユニット１０と締結するための第四の締結部２３を備えている。また、第二の仕切り板８は放熱ユニット１０と締結するための第二の締結部２４を備えている。
【００１６】
図４Ｂに示すように、第二の仕切り板８には、冷却ファンユニット９による風をトランス３等に当てるために貫通孔３４が設けられている。この貫通孔３４を形成するために、第二の仕切り板８の貫通孔３４に相当する部分を切り落とすことになる。その際、貫通孔３４に相当する部分の一部を残し、この残した部分を第二の仕切り板８に対して鉛直方向に折り曲げることで第二の締結部２４を形成してもよい。
【００１７】
次に、各締結部の具体例を示す。
【００１８】
放熱ユニット１０の第三の締結部２１と第一の締結部２２には、複数のねじ穴が設けられている。また、冷却ファンユニット９の第四の締結部２３には、放熱ユニット１０の第三の締結部２１に設けられている複数のねじ穴と対応する位置に丸穴が設けられている。また、第二の仕切り板８の第二の締結部２４には、放熱ユニット１０の第一の締結部２２に設けられている複数のねじ穴と対応する位置に丸穴が設けられている。
【００１９】
そして、第二の締結部２４に設けられた丸穴と、第一の締結部２２に設けられたねじ穴とを、図示しないビスを用いて固定することにより、放熱ユニット１０が第二の仕切り板８に締結される。さらに、第四の締結部２３に設けられた丸穴と、第三の締結部２１に設けられたねじ穴とを、図示しないビスを用いて固定することにより、冷却ファンユニット９が放熱ユニット１０に締結される。本実施の形態では、締結部材の一例としてビス（ねじくぎ）を用いているが、他にも、ボルトとナットなどの取り外し容易な部材を締結部材として用いることが出来る。
【００２０】
なお、上記したビスは、丸穴を有する第二の締結部２４に対して鉛直方向から締め付ける。従って、図１においては、紙面の手前側から奥側に向かって締め付けることで締結するものである。
【００２１】
上記のように構成された溶接装置において、冷却ファンユニット９や放熱ユニット１０の取り外し方について説明する。
【００２２】
例えば、冷却ファン５の故障等により冷却ファンユニット９を溶接装置内から取り外す必要が生じた場合、まず、ビスの略直交方向（図１では、紙面の手前側）に位置する側板３１を取り外す。次に、冷却ファンユニット９と放熱ユニット１０を締結している全てのビスを取り外す。そして、空間１３を利用して、冷却ファンユニット９を上部にスライドさせることにより冷却ファンユニット９を取り外すことができる。
【００２３】
以上のように、本実施の形態によれば、筐体を構成する１つの側板３１を取り外し、冷却ファンユニット９と放熱ユニット１０を締結しているビスを外すだけで、容易に冷却ファンユニット９を溶接装置外へ取り外すことが可能となる。通常、一側面で締結することで冷却ファンユニット９と放熱ユニット１０を固定することができるが、もし、手前の側板に面する箇所以外でもビスで締結されている場合には、さらに該当する側板を取り外して、その箇所のビスを取り外せばよい。
【００２４】
なお、冷却ファンユニット９を取り外した後、さらに放熱ユニット１０を取り外す場合には、放熱ユニット１０と第二の仕切り板８とを締結しているビスを外すだけで、容易に放熱ユニット１０を溶接装置外へ取り外すことが可能となる。
【００２５】
また、冷却ファンユニット９と放熱ユニット１０とが締結された状態で、放熱ユニット１０と第二の仕切り板８とを締結しているビスを外すだけで、容易に冷却ファンユニット９および放熱ユニット１０を溶接装置外へ取り外すことが可能となる。
【００２６】
次に、放熱ユニット１０や冷却ファンユニット９を溶接装置内に取り付ける場合について説明する。
【００２７】
まず、ビスの締め付け方向に対して略直交方向（図１では、紙面の手前側）に位置する側板３１を取り外す。次に、第二の締結部２４に設けられた丸穴と、第一の締結部２２に設けられたねじ穴とを、図示しないビスを用いて固定することにより、放熱ユニット１０を第二の仕切り板８に締結する。その後、第四の締結部２３に設けられた丸穴と、第三の締結部２１に設けられたねじ穴とを、図示しないビスを用いて固定することにより、冷却ファンユニット９を放熱ユニット１０に締結する。
【００２８】
なお、図３に、放熱ユニット１０や冷却ファンユニット９を締結する際のビスの締め付け方向を矢印で示している。
【００２９】
以上のように、本実施の形態によれば、筐体を構成する１つの側板３１を取り外し、放熱ユニット１０や冷却ファンユニット９をビスにより締結するだけで、容易に放熱ユニット１０や冷却ファンユニット９を溶接装置へ取り付けることが可能となる。通常、一側面で締結することで冷却ファンユニット９と放熱ユニット１０を固定できるが、もし、手前の側板に面する箇所以外でもビスで締結する場合には、さらに該当する側板を取り外して、ビスで締結すればよい。
【００３０】
また、本実施の形態の溶接装置１００において、冷却ファンユニット９が、放熱ユニット１０上方に設けられた第一の開口部３２を通じて、放熱ユニット１０内に風を送風することで放熱ユニット１０に取り付けた整流回路１やインバータ回路２の放熱を行う。それと同時に、放熱ユニット１０の下部に設けられた開口部３３から吹き出した風は、第二の仕切り板８に設けられた貫通孔３４を経由して、直接、トランス３やリアクタ４に当たる。それにより、溶接装置内の部材の冷却を効率的に行うことができる。
【００３１】
すなわち、放熱ユニット１０をトンネル形状とし、第二の仕切り板８に貫通孔３４を設けることにより、冷却ファンユニット９からの送風路が形成され、トランス３やリアクタ４を冷却することが出来る。この送風路は、両端に開口部３２、３３が設けられたトンネル形状の放熱ユニット１０と第二の仕切り板８に設けられた貫通孔３４とを含んで構成される。
【００３２】
なお、第二の仕切り板８と冷却ファンユニット９と放熱ユニット１０に設けられている各締結部が、互いに対向する筐体の２つの側板３１に対向して設けられている場合、各々の側板３１を取り外し、各々側板３１を外した面に対して鉛直方向にビスで締め付けることで各ユニットを溶接装置に取り付け、また、各々側板３１を外した面に対して鉛直方向にビスを緩めて外すことで各ユニットを溶接装置から取り外すようにすればよい。
【産業上の利用可能性】
【００３３】
本発明によれば、冷却ファン等の取り外しが容易に行うことができ、補修やメンテナンス性が向上するので、機器内の部材を冷却する冷却ファンを有する電気機器の分野等において産業上有用である。
【図面の簡単な説明】
【００３４】
【図１】本発明の一実施形態に係る溶接装置の概要構成を示す図
【図２】本発明の一実施形態に係る溶接装置の一部の概要構成を示す図
【図３】本発明の一実施形態に係る溶接装置の一部の概要構成を示す図
【図４Ａ】本発明の一実施形態に係る放熱ユニットの外観の斜視図
【図４Ｂ】本発明の一実施形態に係る仕切り板の外観の斜視図
【図５】従来の溶接装置の概略構成を示す図
【図６】従来の溶接装置の概略構成を示す図
【符号の説明】
【００３５】
１    整流回路
２    インバータ回路
３    トランス
４    リアクタ
５    冷却ファン
６    プリント基板
７    第一の仕切り板
８    第二の仕切り板
９    冷却ファンユニット
１０    放熱ユニット
１２    放熱フィン
１３    空間
１７    第一の仕切り板
１８    第二の仕切り板
２１    第三の締結部
２２    第一の締結部
２３    第四の締結部
２４    第二の締結部
３０    筐体
３１    側板
３２    第一の開口部
３３    第二の開口部
３４    貫通孔
１００    溶接装置
【手続補正３】
【補正対象書類名】図面
【補正対象項目名】全図
【補正方法】変更
【補正の内容】
【図１】
2007043195.tif 000010
【図２】
2007043195.tif 000011
【図３】
2007043195.tif 000012
【図４Ａ】
2007043195.tif 000013
【図４Ｂ】
2007043195.tif 000014
【図５】
2007043195.tif 000015
【図６】
2007043195.tif 000016
【国際調査報告】
2007043195.tif 000017
2007043195.tif 000018
2007043195.tif 000019
2007043195.tif 000020